(57)【特許請求の範囲】
【請求項１】
内側に内容物の収容空間を形成するとともに上端部に口部を立設する容器本体の前記口部に装着して使用される中栓であって、
該中栓は、前記口部の突端に保持されるとともに前記口部の開口と通じる開口を形成するベース部と、ベース部の前記開口を閉塞する底壁および該底壁から上方に延びてその上端が開放された筒壁を有する押し込み部と、前記ベース部の前記開口の周縁と前記底壁の周縁とを一体連結する一方、前記押し込み部の押し込みによって破断して前記底壁によって閉塞された前記ベース部の前記開口を開放させる連結部と、を有し、
前記筒壁に貫通孔を設け、該貫通孔は、前記押し込み部が押し込まれた状態で前記収容空間と該筒壁の内側空間とを連通して収容空間から外界へと通じる内容物の注出経路を形成することを特徴とする中栓。
【請求項２】
前記筒壁の外壁面に、前記押し込み部が押し込まれた状態にて前記ベース部の対応する壁面に係合して該状態を維持する係合部を設けた、請求項１に記載の中栓。
【請求項３】
前記連結部を薄肉部で構成してなる、請求項１または２に記載の中栓。
【請求項４】
前記筒壁の上端に、前記押し込み部の押し込み時に前記ベース部の上面に当接して該押し込み部の前記収容空間内への脱落を防止する凸部を設けた、請求項１〜３の何れか一項に記載の中栓。
【請求項５】
請求項１〜４の何れか一項に記載の中栓を、内側に内容物の収容空間を形成するとともに上端部に口部を立設する容器本体の該口部に装着してなる容器であり、
該容器は、前記口部に装着して容器本体内の収容空間を密閉するキャップを具え、前記中栓の押し込み部は、前記キャップの締め込みにより押し込まれて前記連結部を破断する、容器。
【発明の詳細な説明】
【技術分野】
【０００１】
この発明は、内側に内容物の収容空間を形成するとともに上端部に口部を立設する容器本体の該口部に装着して使用される中栓および該中栓を上記口部に装着してなる容器に関する。
【背景技術】
【０００２】
化粧液や薬液等の内容物を収容する容器には、その口部に内容物の適量注出を可能とする中栓を装着するのが一般的であり、さらにこのような中栓としては、使用を開始するまでの間内容物のバージン性を保証するために、その上端面に注出孔を閉塞するシート状のバージンシールを貼付したものが用いられている（例えば、特許文献１参照。）。
【先行技術文献】
【特許文献】
【０００３】
【特許文献１】実開平１−６１０４６号公報
【発明の概要】
【発明が解決しようとする課題】
【０００４】
ところが、従来の中栓では、バージンシールが外部に露出していると流通過程等で容易に剥離するおそれがあったことから、流通過程においては中栓を覆うキャップを容器の口部に装着しておく必要があった。特に、近年では、中栓を装着した容器を詰め替え容器として別の容器に内容物を移し替えて当該別の容器を再利用する使用形態が増えてきており、このような使用形態では、キャップは、詰め替え後に余った内容物を保管するのにも使用されるが、詰め替え容器が空になった場合には次の詰め替え容器のキャップとしても使い回しが可能である。それにもかかわらず、流通過程でのバージンシールの剥離を防止するために詰め替え容器毎にキャップを付属させるのは無駄であり、省資源化や環境保護の見地からも好ましくはなかった。
【０００５】
それゆえ、この発明は、キャップなしでも流通させることができ、かつ、簡単な操作で開封することができる中栓を提案することを目的とするものである。
【課題を解決するための手段】
【０００６】
この発明は、上記課題を解決するためになされたものであり、この発明の中栓は、内側に内容物の収容空間を形成するとともに上端部に口部を立設する容器本体の該口部に装着して使用される中栓であって、該中栓は、前記口部の突端に保持されるとともに前記口部の開口と通じる開口を形成するベース部と、ベース部の前記開口を閉塞する底壁および該底壁から上方に延びてその上端が開放された筒壁を有する押し込み部と、前記ベース部の前記開口の周縁と前記底壁の周縁とを一体連結する一方、前記押し込み部の押し込みによって破断して前記底壁によって閉塞された前記ベース部の前記開口を開放させる連結部と、を有し、前記筒壁に貫通孔を設け、該貫通孔は、前記押し込み部が押し込まれた状態で前記収容空間と該筒壁の内側空間とを連通して収容空間から外界へと通じる内容物の注出経路を形成することを特徴とするものである。
【０００７】
なお、この発明の中栓にあっては、前記筒壁の外壁面に、前記押し込み部が押し込まれた状態にて前記ベース部の対応する壁面に係合して該状態を維持する係合部を設けることが好ましい。
【０００８】
また、この発明の中栓にあっては、前記連結部を薄肉部で構成してなることが好ましい。
【０００９】
さらに、この発明の中栓にあっては、前記筒壁の上端に、前記押し込み部の押し込み時に前記ベース部の上面に当接して該押し込み部の前記収容空間内への脱落を防止する凸部を設けることが好ましい。
【００１０】
また、この発明の容器は、上記の中栓を、内側に内容物の収容空間を形成するとともに上端部に口部を立設する容器本体の該口部に装着してなる容器であり、該容器は、前記口部に装着して容器本体内の収容空間を密閉するキャップを具え、前記中栓の押し込み部は、前記キャップの締め込みにより押し込まれて前記連結部を破断するものである。
【発明の効果】
【００１１】
この発明の中栓にあっては、内部の収容空間内に内容物が充填され、中栓が容器本体の口部に打栓された状態では、中栓の押し込み部の底壁とベース部の開口の周縁とが連結部によって連結され、容器本体内は密封されているので、この状態のまま中栓付きの容器を流通させることができる。中栓を開封するにあたっては、中栓の押し込み部の押し込みにより、押し込み部がベース部の内側に押し込まれるとともに押し込み部とベース部とを連結している連結部が破断され、ベース部の、底壁によって閉塞されていた開口が開放される。これにより、収納空間から筒壁の貫通孔、筒壁の内側空間へ続く内容物の注出経路が形成される。この状態で、中栓付きの容器を傾けることで容器本体内の内容物はかかる注出経路を通じて外界に注出される。
【００１２】
したがって、この発明の中栓によれば、押し込み部をベース部内に押し込むという簡単な操作のみで中栓を開封することができる。また、この発明の中栓によれば、キャップを用いなくとも容器本体内部を密封して中栓付きの容器を流通させることができるので、当該中栓付きの容器に付属させることができるキャップを、次の中栓付きの容器に使いまわすことができる。当該中栓付きの容器を詰め替え容器（詰め替え用の内容物を収容する容器）として使用した場合においても、他の容器への内容物の詰め替えにより容器本体内が空になった場合には、キャップを、内容物が充填されている新たな詰め替え容器に対して使い回すことができる。
【００１３】
さらに、中栓の押し込み部の押し込みをキャップの締め込みにより行った場合には、中栓に手が直接触れることがないため菌の発生を防止することができ衛生的である。
【００１４】
さらに、押し込み部が押し込まれた状態にてベース部の対応する壁面に係合して該状態を維持する係合部を設けた場合には、容器を傾けて内容物を注出する際に押し込み部がベース部から飛び出して脱落するのを防止することができる。
【図面の簡単な説明】
【００１５】
【図１】この発明にしたがう一実施形態の中栓を容器本体の口部に装着してなる容器の一部を示す正面図である。
【図２】図１のＡ−Ａ線に沿う断面図である。
【図３】図１に示した容器につき、キャップを締め込むことにより中栓の押し込み部をベース部の内側に押し込んだ状態を示す断面図である。
【図４】図１に示した容器につき、キャップを外し、容器を傾けて内容物を注出する様子を示す断面図である。
【発明を実施するための形態】
【００１６】
以下、この発明の実施の形態を図面に基づいて詳細に説明する。図中符号１は、一実施形態の中栓を容器本体の口部に装着してなる中栓付きの容器を指し、符号Ｘは該容器の軸線方向を指す。なお、本明細書において、「上方」または「上」とは容器の軸線方向みて、底部から口部へ向かう方向を指すものとする。
【００１７】
図１および２に示すように、容器１は、内側に内容物の収容空間Ｓ（図２参照）を形成するとともに上端部に口部３を立設する容器本体５と、該容器本体５の口部３に装着された中栓７とを具えるものである。
【００１８】
容器本体５は、ここでは、肩部９を介して上記口部３を立設する胴部１１と、胴部１１の下端を閉塞する底部（図示省略）を有し、口部３の外壁面にはねじ３ａが形成されている。
【００１９】
中栓７は、口部３の突端３ｂに保持されるとともに口部３の開口ｈ１と通じる開口ｈ２を形成するベース部１３と、ベース部１３の開口ｈ２を閉塞する底壁１５および該底壁１５から上方に延びてその上端が開放された筒壁１７をもつ押し込み部１９と、ベース部１３の開口ｈ２の周縁と底壁１５の周縁とを一体連結する一方、押し込み部１９の押し込みによって破断して底壁１５によって閉塞されたベース部１３の開口ｈ２を開放させる連結部２１と、を有している。
【００２０】
より詳細には、ベース部１３は、口部突端３ｂの外壁を取り囲んで該外壁に例えばアンダーカットのような嵌合手段により嵌合される外周壁２３と、該外周壁２３の上端に連設されて口部突端３ｂの上面に沿って延びる上壁２５と、上壁２５の内周縁から垂下して口部３の内壁に嵌り込む内周壁２７とからなり、よって、ベース部１３は、外周壁２３と上壁２５と内周壁２７とで形成される環状溝内に口部突端３ｂを挿入、嵌合させることで口部３に保持されている。また、上壁２５は、半径方向外側の薄壁部分２５ａと、該薄壁部分２５ａより半径方向内側の厚壁部分２５ｂとを有しており、厚壁部分２５ｂの、ベース部１３の開口ｈ２を形成する内周面には、内周壁２７に対して内側に向けて段差２９を形成する環状凸部３１が設けられている。
【００２１】
押し込み部１９の筒壁１７は、ベース部１３の内周壁２７の内径よりも径の小さい小径筒部１７ａと、該小径筒部１７ａの上方に配置され小径筒部１７ａよりも径が大きくかつベース部１３の厚壁部分２５ｂの内径と略同一の径を有する大径筒部１７ｂとを有しており、また、小径筒部１７ａと大径筒部１７ｂとの間には、アンダーカットのような係合部３３が形成されている。よって、押し込み部１９が押し込まれた状態（押し込み部１９がベース部１３の開口ｈ２内に挿入された状態）では、係合部３３がベース部１３の段差２９に係合して該状態が維持されるとともに、内周壁２７と小径筒部１７ａとの間には内容物の注出経路の一部を構成する環状の隙間が形成される。
【００２２】
さらに、筒壁１７の小径筒部１７ａには、押し込み部１９が押し込まれた状態で収容空間Ｓと筒壁１７の内側空間とを連通して収容空間Ｓから外界へと通じる内容物の注出経路を形成する少なくとも１つ（ここでは２つ）の貫通孔３５，３７が形成されている。
【００２３】
また、この実施形態では、筒壁１７の上端に、押し込み部１９の押し込み時にベース部１３の上面（上壁２５の上面）に当接して該押し込み部１９の収容空間Ｓ内への脱落を防止する凸部３９を設けている。凸部３９は、この例では環状としているが、これに限らず、一つまたは複数の独立した凸部３９であってもよい。
【００２４】
連結部２１は、該連結部２１に隣接する部分に比べて厚みの小さい環状の薄肉部で構成されており、薄肉部の厚みは、押し込み部１９の押し込み時には破断することができる一方、流通過程等における外部からの衝撃では破断しない程度の強度を有するものとすることが好ましく、さらには、押し込み部１９の押し込みを後述するキャップ４０の締め込みにより行った際に破断する程度の厚みとすることがより好ましい。
【００２５】
キャップ４０は、図３に示すように、容器本体５の口部３に装着して容器本体５内の収容空間Ｓを密閉するものであり、この実施形態では、逆さカップ形状の外装体４２とこの外装体４２の内側に嵌め込まれる内装体４４との二重構造をなし、内装体４４に形成された凹部４６の内周壁には、容器本体５の口部外壁に形成されたねじ３ａと嵌合するねじ４６ａが形成されている。またこの凹部４６の天井部分には、円板状のシール４８が設けられており、これによって、キャップ４０を容器本体５の口部３に締め込んだときにシール４８が中栓７の注出開口（ベース部１３の開口ｈ２）を密閉するようにしている。
【００２６】
このようになる容器１にあっては、図２に示す、内部の収容空間Ｓ内に内容物が充填され、中栓７が容器本体５の口部３に打栓された状態では、中栓７の押し込み部１９の底壁１５とベース部１３の開口ｈ２の周縁とが連結部２１によって連結され、容器本体５内は密封されているため、この状態のままで容器１を流通させることができる。中栓７を開封するにあたっては、図３に示すように、キャップ４０を容器本体５の口部３に締め込むことで押し込み部１９がベース部１３の内側に押し込まれるとともに中栓７の押し込み部１９とベース部１３とを連結している連結部２１が破断され、ベース部１３の、底壁１５によって閉塞されていた開口ｈ２が開放される。これにより、収容空間Ｓから筒壁１７の貫通孔３５，３７、筒壁１７の内側空間へと続く内容物の注出経路が形成される。この状態で、図４に示すように、容器１を傾けることで容器本体５内の内容物はかかる注出経路を通じて外界に注出される。
【００２７】
したがって、この実施形態の中栓７を装着してなる容器１によれば、中栓７の押し込み部１９をベース部１３内に押し込むという簡単な操作のみで中栓７を開封することができ、これは、容器１を詰め替え容器として使用した場合に詰め替え用の内容物を移し替える先の他の容器が何ら制限されないという利点もある。すなわち、例えば実開平５−７１１５２号公報に開示されるように、容器の口部をシート層で閉塞した容器につきそのシート層を容易に除去しようとした場合、内容物を移し替える先の容器に該シート層の切断刃を設ける必要があり、切断刃が邪魔となって移し替える先の容器にポンプ等を装着することができなくなるが、この発明の中栓７によれば、中栓７の押し込み部１９を押し込むだけで中栓７を開封でき、移し替える先の容器に中栓７を開封するための手段を設ける必要はない。
【００２８】
また、この中栓７によれば、キャップ４０を用いなくとも容器本体５を密封して流通させることができるので、当該中栓付きの容器１に付属させることができるキャップ４０を、次の中栓付きの容器１に使い回すことができる。当該中栓付きの容器１を詰め替え容器（詰め替え用の内容物を収容する容器）として使用した場合においても、他の容器への内容物の詰め替えにより容器本体５内が空になった場合には、キャップ４０を内容物が充填されている新たな詰め替え容器１に対して使い回すことができる。つまり、容器１に付属させることができるキャップ４０や通常の容器（詰め替えが行われる容器）で使用されるキャップを、容器１に使用することもできる。
【００２９】
さらに、中栓７の押し込み部１９の押し込みをキャップ４０の締め込みにより行った場合には、中栓７に手が直接触れることがないため菌の発生を防止することができ衛生的である。
【００３０】
さらに、この実施形態の中栓７によれば、押し込み部１９が押し込まれた状態にてベース部１３の対応する壁面（段差２９）に係合して該状態を維持する係合部３３を設けたことから、容器を傾けて内容物を注出する際に押し込み部１９がベース部１３から飛び出して脱落するのを防止することができる。
【産業上の利用可能性】
【００３１】
かくして、この発明により、キャップなしでも流通させることができ、かつ、簡単な操作で開封することができる中栓および容器を提案することが可能となった。
【符号の説明】
【００３２】
１  容器
３  口部
３ｂ  口部の突端
５  容器本体
７  中栓
１３  ベース部
１５  底壁
１７  筒壁
１９  押し込み部
２１  連結部
３３  係合部
３５，３７  貫通孔
３９  凸部
４０  キャップ
【図１】
0005777969.tif 000002
【図２】
0005777969.tif 000003
【図３】
0005777969.tif 000004
【図４】
0005777969.tif 000005